(57)【要約】【課題】ユーザの手間をかけることなく不定形サイズに対する課金額を設定する。【解決手段】  変数OpNoCt、LowData、及びHighDataを初期化し（ステップＳ１０３）、サイズテーブルから変数OpNoCtに対応する用紙サイズの長辺を読み出し、HighDataに代入する（ステップＳ１０４）。変数OpNoCtが示す値のテーブルナンバーの範囲テーブルにLowData、及びHighDataを書き込むことにより、範囲テーブルの範囲情報を作成する（ステップＳ１０６）。サイズテーブルから変数OpNoCtに対応する金額を読み出し、変数OpNoCtが示す値のテーブルナンバーの範囲テーブルに書き込むことにより、範囲テーブルの課金額を作成する（ステップＳ１０７）。【選択図】図６
2010004317.tif 000002
【特許請求の範囲】
【請求項１】
画像形成装置と課金装置とを含んでなる課金システムであって、
用紙サイズ毎に課金額を記載したサイズテーブルを保存する保存手段と、
サイズテーブルに記載された各用紙サイズに基づいて用紙範囲を定め、用紙範囲毎に課金額を記載した範囲テーブルを生成する範囲テーブル生成手段と、
を備える課金システム。
【請求項２】
各用紙サイズに基づく用紙範囲の決定は、前記サイズテーブルに記載されたサイズの全て若しくは一部を閾値として、用紙サイズの範囲を指定することにより行われる
請求項１記載の課金システム。
【請求項３】
一の用紙範囲と他の用紙範囲とで重複している範囲が存在するか否かを判断し、重複している範囲が存在する場合に、値の大きい方の用紙範囲の下限値を、他方の用紙範囲の上限値に書き換える書き換え手段をさらに備える
請求項１記載の課金システム。
【請求項４】
一の用紙範囲と他の用紙範囲とで重複している範囲が存在するか否かを判断し、重複している範囲が存在する場合に、値の小さい方の用紙範囲の上限値を、他方の用紙範囲の下限値に書き換える書き換え手段をさらに備える
請求項１記載の課金システム。
【請求項５】
一の用紙範囲と他の用紙範囲とで重複している範囲が存在するか否かを判断し、重複している範囲が存在する場合に、値の大きい方の用紙範囲の下限値と、他方の用紙範囲の上限値とを、前記値の大きい方の用紙範囲の上限値と前記他方の用紙範囲の下限値との中間値にそれぞれ書き換える書き換え手段をさらに備える
請求項１記載の課金システム。
【請求項６】
一の用紙範囲と他の用紙範囲とで重複している範囲が存在するか否か、及び各用紙範囲に対応する課金額が同一か否かを判断し、重複している範囲が存在し、かつ、各用紙範囲に対応する課金額が同一である場合に、値の小さい方の用紙範囲の上限値を、他方の用紙範囲の上限値に書き換えると共に、前記他方の用紙範囲及びこれに対応する課金額を、前記範囲テーブルから消去する書き換え手段をさらに備える
請求項１記載の課金システム。
【請求項７】
前記保存手段及び前記範囲テーブル生成手段は、課金装置に設けられている
請求項１記載の課金システム。
【請求項８】
前記保存手段及び前記範囲テーブル生成手段は、画像形成装置に設けられている
請求項１記載の課金システム。
【請求項９】
前記保存手段は課金装置に設けられ、前記範囲テーブル生成手段は画像形成装置に設けられている
請求項１記載の課金システム。
【請求項１０】
課金装置と通信を行うことにより課金処理を行う画像形成装置であって、
用紙サイズ毎に課金額を記載したサイズテーブルを保存する保存手段と、
サイズテーブルに記載された各用紙サイズに基づいて用紙範囲を定め、用紙範囲毎に課金額を記載した範囲テーブルを生成する範囲テーブル生成手段と、
を備える画像形成装置。
【発明の詳細な説明】
【技術分野】
【０００１】
本発明は、課金装置とMFP（Multi Function Peripheral）等の画像形成装置とを含む課金システムに関する。
【背景技術】
【０００２】
通常、課金処理は、課金装置がユーザ入力に基づいて作成した課金テーブルを、画像形成装置として例えばMFPがダウンロードして使用するといった形態をとる。
課金テーブルは用紙サイズ別に課金額を関連付けてデータベース化したものであり、MFPはコピーやプリントといったジョブを実行すると、課金テーブルを参照しながら当該ジョブに関する課金情報を生成する。これにより、用紙サイズに応じた課金を行うことができる。
【０００３】
このような課金システムに関する先行技術としては、特許文献１及び特許文献２に記載のものがある。
【特許文献１】特開2001-350936号公報
【特許文献２】特開2000-47540号公報
【発明の開示】
【発明が解決しようとする課題】
【０００４】
ところで、MFPでコピーやプリントをする際、不定形サイズの用紙を使用したい場合がある。不定形サイズの場合には、課金テーブルのどの用紙サイズにも該当しないため、課金装置にて、不定形サイズに対する課金額を別途設定しておく必要がある。
また、MFPでコピーやプリントをする際に、ユーザ自らMFPに備えられた操作パネルを操作しミリ単位で用紙サイズを入力する必要もある。
【０００５】
使用され得る不定形サイズの種類が増えれば増えるほど、ユーザに求められる労力は増大し、これらの処理はユーザにとって非常に煩雑なものとなる。
本発明は、ユーザの手間をかけることなく不定形サイズに対する課金額を設定することのできる課金システムを提供することを目的とする。
【課題を解決するための手段】
【０００６】
上記課題を解決するために、本発明は、画像形成装置と課金装置とを含んでなる課金システムであって、用紙サイズ毎に課金額を記載したサイズテーブルを保存する保存手段と、サイズテーブルに記載された各用紙サイズに基づいて用紙範囲を定め、用紙範囲毎に課金額を記載した範囲テーブルを生成する範囲テーブル生成手段と、を備える課金システムである。
【発明の効果】
【０００７】
本発明は上記の構成を備えることにより、サイズテーブルに記載された各用紙サイズに基づいて用紙範囲を定め、用紙範囲毎に課金額を記載した範囲テーブルを生成することができるので、範囲テーブルの生成にあたって、ユーザ入力を必要としない。したがって、範囲テーブルの生成においてユーザに求められる労力を軽減することができる。
ところで、サイズテーブルに記載された各用紙サイズに基づいて用紙範囲を定めて範囲テーブルを生成した場合、一の用紙範囲と他の用紙範囲とで重複する範囲が存在する場合がある。その場合、それぞれの用紙範囲で課金額が異なる場合には、どちらの課金額を適用すればよいのか判断できず、正確に課金を行うことができない場合もあり得る。
【０００８】
そこで、一の用紙範囲と他の用紙範囲とで重複している範囲が存在するか否かを判断し、重複している範囲が存在する場合に、値の大きい方の用紙範囲の下限値を、他方の用紙範囲の上限値に書き換える書き換え手段をさらに備えるとするのが望ましい。
また、一の用紙範囲と他の用紙範囲とで重複している範囲が存在するか否かを判断し、重複している範囲が存在する場合に、値の小さい方の用紙範囲の上限値を、他方の用紙範囲の下限値に書き換える書き換え手段をさらに備えるとしてもよい。
【０００９】
さらに、一の用紙範囲と他の用紙範囲とで重複している範囲が存在するか否かを判断し、重複している範囲が存在する場合に、値の大きい方の用紙範囲の下限値と、他方の用紙範囲の上限値とを、前記値の大きい方の用紙範囲の上限値と前記他方の用紙範囲の下限値との中間値にそれぞれ書き換える書き換え手段をさらに備えるとしてもよい。
これにより、用紙範囲が重複した場合であっても、重複を解消することができるので、正確に課金を行うことができる。
【００１０】
ここで、一の用紙範囲と他の用紙範囲とで重複している範囲が存在するか否か、及び各用紙範囲に対応する課金額が同一か否かを判断し、重複している範囲が存在し、かつ、各用紙範囲に対応する課金額が同一である場合に、値の小さい方の用紙範囲の上限値を、他方の用紙範囲の上限値に書き換えると共に、前記他方の用紙範囲及びこれに対応する課金額を、前記範囲テーブルから消去する書き換え手段をさらに備えるとしてもよい。
【００１１】
これにより、範囲テーブルを小型化することができるので、範囲テーブルを保存しておくためのメモリ容量を低減することができる。
【発明を実施するための最良の形態】
【００１２】
＜実施の形態１＞
１．全体構成
図１は、本発明に係る課金システムを示している。課金システムは、画像形成装置として例えばMFP（Multi Function Peripheral）１００と課金装置２００とを含んで構成される。プログラムを読み込んで課金装置として機能するパソコン２００は、ネットワークを介してMFP１００と接続されている。
【００１３】
MFP１００は、ユーザからユーザID及び部門IDの入力を受け付け、受け付けたユーザID及び部門IDを課金装置２００に送信することにより、当該ユーザID及び部門IDに対応する二種類の課金テーブル（サイズテーブル及び範囲テーブル）を課金装置２００からダウンロードする。
また、コピー、プリント、スキャン、及びファックスといったジョブを実行し、実行したジョブの用紙サイズを判断する。ダウンロードした二種類の課金テーブルのうち、判断した用紙サイズが記載された課金テーブルを参照しながら、当該ジョブに関する課金情報を生成し、生成した課金情報を課金装置２００に送信する。
【００１４】
なお、課金情報の生成についての詳細は、当業者にとっては当然に実施できる内容であるため、ここでは省略する。
課金装置２００は、ユーザ入力に基づいて、用紙サイズ毎に課金額を記載したサイズテーブルを生成し、さらに生成したサイズテーブルに基づいて、用紙範囲毎に課金額を記載した範囲テーブルを生成する。生成したサイズテーブル及び範囲テーブルをユーザID及び部門IDに対応付けて記憶する。
【００１５】
また、MFP１００から送信されたユーザID及び部門IDに応じたサイズテーブル及び範囲テーブルを選択しMFP１００に送信する。
さらに、MFP１００から送信された課金情報に基づいて、ユーザID及び部門ID毎にジョブに関する課金の管理を行う。
２．課金装置の構成
図２は、課金装置２００の構成を示すブロック図である。課金装置２００はＣＰＵ２０１、ＲＯＭ２０２、ＲＡＭ２０３、ハードディスク２０４、ＣＲＴディスプレイ２０５、キーボード２０６、マウス２０７、通信インタフェース２０８を含んで構成され、これらはバスを介して相互に通信可能に接続されている。
【００１６】
ハードディスク２０４には、ＯＳの他、課金テーブルの生成に関する制御プログラム、MFP１００と通信しMFP１００から課金情報等を取得したり、MFP１００へ課金テーブル等を出力したりするアプリケーションソフト、ブラウザといったプログラムなど、さらには、ユーザID及び部門ID別にサイズテーブル及び範囲テーブルが格納されている。そして、電源のオンとともにＯＳを起動し、続いてキーボード２０６やマウス２０７からの起動指示により、指定されたプログラムをＲＡＭ２０３上に読み出し、ＣＰＵ２０１が解読し実行する。
【００１７】
ＣＲＴディスプレイ２０５には、例えば、サイズテーブルの生成に関する入力を行う入力画面が表示される。
通信インタフェース２０８は、ネットワークと接続されていて、MFP１００から課金情報を取得したり、逆に課金装置２００のハードディスク２０４に保存されている課金テーブルをＭFP１００に出力したりする。
３．課金テーブル
３．１．課金テーブルのデータ構造
図３は、課金テーブルのデータ構造を示す図である。図３（ａ）はサイズテーブルのデータ構造を、図３（ｂ）は範囲テーブルのデータ構造を示す。図３（ａ）に示すように、サイズテーブルは用紙サイズ及び金額の各欄からなり、図３（ｂ）に示すように、範囲テーブルは用紙範囲及び金額の各欄からなる。
【００１８】
３．２．課金テーブルの生成方法
続いて、図３で示した課金テーブルをどのように生成するのかについて説明する。図４は、課金装置２００においてサイズテーブルの生成に関する入力を行う入力画面を示す図である。ユーザが画面左のサイズ指定部に用紙サイズを、金額指定部に数値を入力することにより、サイズテーブルは生成される。
【００１９】
サイズ指定部への入力は、画面右のサイズ一覧からサイズを選択し、選択したサイズをドラッグ＆ドロップで所望のテーブルナンバーに入力することにより行われる。ここでは、サイズ指定として、定型用紙であるA5、A4、A3、及びA2が入力されている。なお、非定型サイズについては、不図示の非定型サイズ入力部から所望のサイズを入力でき、そこで入力された非定型サイズは、サイズ一覧に表示される。
【００２０】
また、金額指定部には、キーボードを用いて所望の数値を入力する。ここでは、金額指定として、A5に対しては￥３０、A4に対しては￥５０、A3に対しては￥１００、及びA2に対しては￥２００が入力されている。
ユーザは、サイズ指定及び金額指定に対する入力を終えると、画面上の確定ボタンをクリックする。確定ボタンがクリックされると、課金装置２００は入力した内容に応じたサイズテーブルを生成するとともに、サイズ指定部に入力されたサイズに基づいて範囲テーブルを自動的に生成する。範囲テーブルは、例えば、サイズ指定部に入力された用紙サイズの長辺を範囲テーブルにおける範囲の境界として、生成される。
【００２１】
図５は、用紙サイズの長辺を範囲テーブルにおける範囲の境界とする場合の範囲テーブルの生成に関する図である。同図に示すように、サイズテーブルの用紙サイズA5の長辺210mmから範囲テーブルNo.1の0~210mmが決定される。同様に、A4の長辺297mmから範囲テーブルNo.2の210~297mmが、A3の長辺420mmから範囲テーブルNo.3の297~420mmが、A2の長辺594mmから範囲テーブルNo.4の594~∞が、それぞれ決定される。従来では、ユーザは範囲テーブルの範囲指定を手入力する必要があったが、上述のようにサイズテーブルに関する入力を行うだけで、範囲テーブルは自動的に生成される。
【００２２】
続いて、具体的に用紙サイズの長辺をどのように範囲の境界とするかについて説明する。
４．課金装置の動作
図６は、用紙サイズの長辺を範囲テーブルにおける範囲の境界とする場合の範囲テーブルの生成処理を示すフローチャートである。本フローチャートにおいて、変数OpNoCtは、複数のテーブルナンバーのうち、そのときに読み出しているサイズテーブルと範囲テーブルのテーブルナンバーを示す。LowData、及びHighDataは、範囲テーブルの範囲を指定するデータであり、それぞれ下限データ、上限データを示す。
【００２３】
まず、範囲テーブルの基となるサイズテーブルを読み出してＲＡＭ２０３に展開し（ステップＳ１０１）、読み出したサイズテーブルを用紙サイズの長辺が短い順にソートする（ステップＳ１０２）。
変数OpNoCt、LowData、及びHighDataを初期化し（ステップＳ１０３）、サイズテーブルから変数OpNoCtに対応する用紙サイズの長辺を読み出し、HighDataに代入する（ステップＳ１０４）。これにより、最初の上限データはサイズテーブルのテーブルナンバー１に格納されている用紙サイズの長辺が代入されることになる。
【００２４】
次に、全てのサイズテーブルを読み出したか否かを判断する（ステップＳ１０５）。否定的な判断がなされると（ステップＳ１０５でＮｏ）、変数OpNoCtが示す値のテーブルナンバーの範囲テーブルにLowData、及びHighDataを書き込むことにより、範囲テーブルの範囲情報を作成する（ステップＳ１０６）。
サイズテーブルから変数OpNoCtに対応する金額を読み出し、変数OpNoCtが示す値のテーブルナンバーの範囲テーブルに書き込むことにより、範囲テーブルの課金額を作成する（ステップＳ１０７）。
【００２５】
次のテーブル作成時には現在のHighDataがLowDataになるため、LowDataにHighDataを代入する（ステップＳ１０８）。これにより、次のテーブル作成のためのLowDataを作成する。
変数OpNoCtを一だけインクリメントし（ステップＳ１０９）、ステップＳ１０４に移行する。
【００２６】
ステップＳ１０５にて肯定的な判断がなされると、HighDataを∞とする必要があるため、HighDataに∞を代入する（ステップＳ１１０）。
変数OpNoCtが示す値のテーブルナンバーの範囲テーブルにLowData、及びHighDataを書き込むことにより、範囲テーブルの範囲情報を作成する（ステップＳ１１１）。
サイズテーブルから変数OpNoCtに対応する金額を読み出し、変数OpNoCtが示す値のテーブルナンバーの範囲テーブルに書き込むことにより、範囲テーブルの課金額を作成する（ステップＳ１１２）。
【００２７】
以上のように本実施の形態によれば、サイズテーブルの生成画面において、用紙サイズ及び課金額を入力すれば、各用紙サイズに基づいて用紙範囲を定めて、用紙範囲毎に課金額を記載した範囲テーブルを生成することができる。したがって、範囲テーブルの生成のために、ユーザに別途入力作業が求められることはないので、範囲テーブルを生成する際のユーザの労力を低減することができる。
＜実施の形態２＞
上記実施の形態では、サイズ指定部に入力された用紙サイズの長辺を範囲テーブルにおける範囲の境界として、範囲テーブルを生成したが、本実施の形態では、各用紙サイズの長辺を基準として用紙範囲を定め、範囲テーブルを生成する。
【００２８】
図７は、各用紙サイズの長辺を基準として用紙範囲を定めた場合の範囲テーブルの生成に関する図である。ここでは、各用紙サイズの長辺を基準として前後10mmの範囲を範囲テーブルの範囲とする。同図に示すように、サイズテーブルの用紙サイズA5の長辺210mmの前後10mmから範囲テーブルNo.1の200~220mmが決定される。同様に、A4の長辺297mmの前後10mmから範囲テーブルNo.2の287~307mmが、A3の長辺420mmの前後10mmから範囲テーブルNo.3の410~430mmが、A2の長辺594mmの前後10mmから範囲テーブルNo.4の584~604が、それぞれ決定される。
【００２９】
図８は、用紙サイズの長辺を範囲テーブルの範囲の基準とする場合の範囲テーブルの生成処理を示すフローチャートである。本フローチャートにおいて、変数OpNoCtは、複数のテーブルナンバーのうち、そのときに読み出しているサイズテーブルと範囲テーブルのテーブルナンバーを示す。LowData、及びHighDataは、範囲テーブルの範囲を指定するデータであり、それぞれ下限データ、上限データを示す。
【００３０】
まず、範囲テーブルの基となるサイズテーブルを読み出してＲＡＭ２０３に展開し（ステップＳ２０１）、変数OpNoCtを初期化する（ステップＳ２０２）。サイズテーブルから変数OpNoCtに対応する用紙サイズの長辺を読み出し、MidDataに代入する（ステップＳ２０３）。MidDataにConstを加算した値をHighDataに、MidDataからConstを減算した値をLowDataに代入する（ステップＳ２０４）。これにより、サイズテーブルのテーブルナンバー１のサイズをMidDataとして、Constだけ小さい値がLowDataに、Constだけ大きい値がHighDataに代入されることになる。
【００３１】
変数OpNoCtが示す値のテーブルナンバーの範囲テーブルにLowData、及びHighDataを書き込むことにより、範囲テーブルの範囲情報を作成する（ステップＳ２０５）。
サイズテーブルから変数OpNoCtに対応する金額を読み出し、変数OpNoCtが示す値のテーブルナンバーの範囲テーブルに書き込むことにより、範囲テーブルの課金額を作成する（ステップＳ２０６）。
【００３２】
次に、全てのサイズテーブルを読み出したか否かを判断する（ステップＳ２０７）。否定的な判断がなされると（ステップＳ２０７でＮｏ）、  変数OpNoCtを一だけインクリメントし（ステップＳ２０８）、ステップＳ２０３に移行する。
ステップＳ２０７にて肯定的な判断がなされると、範囲テーブルのある二つの範囲情報に重複する範囲があるか否かを判断し（ステップＳ２０９）、肯定的な判断がなされると（ステップＳ２０９でＹｅｓ）、重複を解消するための処理を行う。
【００３３】
続いて、範囲テーブルのある二つの範囲情報に重複する範囲がある場合の処理について説明する。
図９は、ある二つの範囲情報に重複する範囲がある場合のサイズテーブル及び範囲テーブル、並びに重複調整処理後の範囲テーブルを示す図である。
図9に示すように、サイズテーブルには、サイズ指定として、定型用紙であるA5及びHLが入力されている。HLはHalfLetterを示す。この場合には、範囲テーブルに示すように、範囲指定をそれぞれ、200mm~220mm、206mm~226mmとする範囲テーブルが生成される。ここで、両範囲は重複する範囲を有するので、これを解消する必要がある。ここでは例えば、値の小さい方の範囲を優先して、テーブルナンバー２のLowDataに値の小さい方の範囲の上限値（ここでは220mm）を書き込む。これにより、重複調整処理後の範囲テーブルに示すように、200mm~220mm、220mm~226mmとする範囲テーブルが生成されるので、重複を解消することができる。
【００３４】
以上のように本実施の形態によれば、サイズテーブルの生成画面において、用紙サイズ及び課金額を入力すれば、各用紙サイズの長辺を基準に用紙範囲を定めて、範囲テーブルを生成することができる。その際、ある二つの範囲情報に重複する範囲がある場合であっても、値の小さい方の範囲を優先することにより重複を解消できるので、正しい課金を行うことができる。
（変形例）
以上、本発明に係る課金システムについて、実施の形態に基づいて説明したが、本発明は上記実施の形態に限られないことは勿論である。
（１）上記実施の形態では、課金装置２００がユーザ入力に基づいてサイズテーブル及び範囲テーブルを生成するとしたが、MFP１００がユーザ入力に基づいてサイズテーブル及び範囲テーブルを生成するとしてもよい。また、課金装置２００がユーザ入力に基づいてサイズテーブルを生成し、生成したサイズテーブルをMFP１００に送信し、サイズテーブルを受信したMFP１００が当該サイズテーブルに基づいて範囲テーブルを生成するとしてもよい。
（２）上記実施の形態では、ある二つの用紙範囲で重複する範囲を有する場合には、二つの用紙範囲のうち値の小さい方の範囲を優先することにより、重複を解消するとしたが、値の大きい方の範囲を優先することにより、重複を解消するとしてもよい。この場合、図９の例で説明すると、範囲指定をそれぞれ、200mm~206mm、206mm~226mmとする範囲テーブルが生成される。また、二つの用紙範囲の中間を境界としてもよい。この場合、図９の例で説明すると、範囲指定をそれぞれ、200mm~213mm、213mm~226mmとする範囲テーブルが生成される。
（３）上記実施の形態では、ある二つの用紙範囲で重複する範囲を有する場合において、各用紙範囲に対応する金額は異なっていたが、金額が同額の場合がある。図１０はある二つの用紙範囲で重複する範囲を有し、かつ、それらの金額が同額であるサイズテーブル及び範囲テーブル、並びに重複調整処理後の範囲テーブルを示す図である。図１０のサイズテーブルには、サイズ指定として、定型用紙であるA5及びHLが入力されているが、それらに対応する金額は共に\３０である。この場合には、テーブルナンバー１のLowDataに値の小さい方の範囲の下限値（ここでは200mm）を、HighDataに値の大きい方の範囲の上限値（ここでは226mm）を書き込むことにより、両範囲を融合すると共に、テーブルナンバー２に書き込んでいたデータを消去することにより、一つのテーブルにすることができる。これにより、MFP１００へ課金テーブルを送信する際の転送時間を短縮することができる。また、課金テーブルを記憶するためのメモリ容量を低減することができる。
【００３５】
上記実施の形態及び上記変形例をそれぞれ組み合わせるとしてもよい。
また、本発明に係る課金システムは、その範囲を逸脱することなく本発明の趣旨に沿って様々な変形または修正が可能であることは言うまでもない。
【産業上の利用可能性】
【００３６】
本発明は、画像形成装置と課金装置とを含んでなる課金システムに広く適用することができる。
【図面の簡単な説明】
【００３７】
【図１】課金システムを示す図である。
【図２】課金装置２００の構成を示すブロック図である。
【図３】課金テーブルのデータ構造を示す図である。
【図４】課金装置２００においてサイズテーブルの生成に関する入力を行う入力画面を示す図である。
【図５】用紙サイズの長辺を範囲テーブルにおける範囲の境界とする場合の範囲テーブルの生成に関する図である。
【図６】用紙サイズの長辺を範囲テーブルにおける範囲の境界とする場合の範囲テーブルの生成処理を示すフローチャートである。
【図７】各用紙サイズの長辺を基準として用紙範囲を定めた場合の範囲テーブルの生成に関する図である。
【図８】用紙サイズの長辺を範囲テーブルの範囲の基準とする場合の範囲テーブルの生成処理を示すフローチャートである。
【図９】ある二つの範囲情報に重複する範囲がある場合のサイズテーブル及び範囲テーブル、並びに重複調整処理後の範囲テーブルを示す図である。
【図１０】ある二つの用紙範囲で重複する範囲を有し、かつ、それらの金額が同額であるサイズテーブル及び範囲テーブル、並びに重複調整処理後の範囲テーブルを示す図である。
【符号の説明】
【００３８】
１００  MFP
２００  課金装置
２０１  ＣＰＵ
２０２  ＲＯＭ
２０３  ＲＡＭ
２０４  ハードディスク
２０５  ＣＲＴディスプレイ
２０６  キーボード
２０７  マウス
２０８  通信インタフェース
【図１】
2010004317.tif 000003
【図２】
2010004317.tif 000004
【図３】
2010004317.tif 000005
【図４】
2010004317.tif 000006
【図５】
2010004317.tif 000007
【図６】
2010004317.tif 000008
【図７】
2010004317.tif 000009
【図８】
2010004317.tif 000010
【図９】
2010004317.tif 000011
【図１０】
2010004317.tif 000012